(57)【要約】  取引カードを支持するための封筒が提供される。取引カードは、小売店などからの追加の商品と引き換え可能な商品券などである。封筒は、第１の面及び第２の面を有する平面部を含む。スロットは、平面部中に切り込まれ、接着剤は、平面部の第２の面上に重ねられる。封筒が物体に貼付されると、ポケットが平面部と物体との間に形成される。物体はスロットと連絡している。次いで、取引カードがスロット内へ挿入されて、封筒内に取引カードを固定的に配設することが可能である。さらに、封筒は、小売店の発展的な促進のための隠し販売促進用材料アセンブリを含む。隠し販売促進用材料アセンブリは、クーポン、スクラッチ式ゲーム、及びスクラッチ・アンド・スニフ・シートなどの販売促進用材料と、販売促進用材料を隠すラベルと、販売促進用材料を隠すラベルを取外し可能に固定する接着剤とを含む。ラベルは、表側面及び裏側面と、単一層不透明シートの少なくとも一方の面上に記載される変更可能な印とを有する単一層不透明シートである。
2009528230.tif 000002
【特許請求の範囲】
【請求項１】
ａ）第１の面及び第２の面を有する平面部と、
ｂ）前記平面部中に切り込まれたスロットと、
ｃ）物体に前記平面部を接着して貼付するために、前記平面部の前記第２の面上に重ねられる接着剤と、
ｄ）前記平面部の前記第１の面の下半部に結合され、販売促進用材料、前記販売促進用材料を隠すラベル、及び前記販売促進用材料を被覆するように前記ラベルを取外し可能に固定する接着剤を備える隠し販売促進用材料アセンブリと
を備える、取引カードを保持するための封筒。
【請求項２】
前記ラベルは、表側面及び裏側面を有する単一層不透明シートを備える、請求項１に記載の封筒。
【請求項３】
前記表側面は、その上に予め決められた印を有する、請求項２に記載の封筒。
【請求項４】
前記予め決められた印はクーポンである、請求項３に記載の封筒。
【請求項５】
前記クーポンは、追加の製品の購入時に使用するための割引クーポンである、請求項４に記載の封筒。
【請求項６】
前記裏側面は、予め決められた印がその上に印刷される、請求項２に記載の封筒。
【請求項７】
前記予め決められた印はクーポンである、請求項６に記載の封筒。
【請求項８】
前記クーポンは、追加の製品の購入時に使用するための割引クーポンである、請求項７に記載の封筒。
【請求項９】
前記販売促進用材料アセンブリは、スクラッチ式ゲーム・ピースである、請求項１に記載の封筒。
【請求項１０】
前記販売促進用材料アセンブリは、スクラッチ・アンド・スニフ・シートである、請求項１に記載の封筒。
【請求項１１】
前記販売促進用材料アセンブリはクーポンである、請求項１に記載の封筒。
【請求項１２】
前記クーポンは、追加の製品の購入時に使用するための割引クーポンである、請求項１１に記載の封筒。
【請求項１３】
ａ）第１の面及び第２の面を有する平面部と、
ｂ）クレジット／デビット・カードを受けるための前記平面部の前記第１の面上に配設されるスリットと、
ｃ）物体に前記平面部を接着して貼付するために、前記平面部の前記第２の面上に重ねられる接着剤と、
ｄ）前記平面部の前記第１の面に結合され、ヒンジ端部及び自由端部を有する単一層不透明シートを備えるフラップ・アセンブリであって、前記ヒンジ端部は、前記平面部と、前記平面部上に配設され、前記不透明シートによって被覆されるようになされた販売促進用材料とに枢動自在に結合されるフラップ・アセンブリと
を備える、クレジット／デビット・カードを保持するための封筒。
【請求項１４】
前記不透明シートは、表側表面上に予め決められた印を有する、請求項１３に記載の封筒。
【請求項１５】
前記不透明シートは、その裏側表面上に予め決められた印を有する、請求項１３に記載の封筒。
【請求項１６】
前記予め決められた印はクーポンである、請求項１４に記載の封筒。
【請求項１７】
前記予め決められた印はクーポンである、請求項１５に記載の封筒。
【請求項１８】
前記販売促進用材料はクーポンである、請求項１３に記載の封筒。
【請求項１９】
前記クーポンは、追加の製品の購入時に使用するための割引クーポンである、請求項１８に記載の封筒。
【請求項２０】
前記販売促進用材料は、スクラッチ式ゲームである、請求項１３に記載の封筒。
【請求項２１】
前記販売促進用材料は、スクラッチ・アンド・スニフ・シートである、請求項１３に記載の封筒。
【請求項２２】
ａ）第１の面及び第２の面を有する平面部と、
ｂ）前記平面部中に切り込まれたスロットと、
ｃ）前記平面部の前記第２の面上に重ねられて、物体に封筒を接着して貼付する接着剤であって、ポケットが、前記平面部と前記物体との間に画成され、前記スリットと連絡する接着剤と、
ｄ）前記平面部の前記第１の面に結合され、販売促進用材料、前記販売促進用材料を隠すラベルであって、前記販売促進用材料が前記ラベルと前記平面部との間に配設されるラベル、及び前記平面部に前記ラベルを取外し可能に固定する接着剤を備える、隠し販売促進用材料アセンブリと
を備える、取引カードを保持するための封筒。
【請求項２３】
前記ラベルは、表側面及び裏側面を有する単一層不透明シートである、請求項２２に記載の封筒。
【請求項２４】
前記表側面は、予め決められた印がその上に印刷される、請求項２３に記載の封筒。
【請求項２５】
前記予め決められた印はクーポンである、請求項２４に記載の封筒。
【請求項２６】
前記クーポンは、追加の製品の購入時に使用するための割引クーポンである、請求項２５に記載の封筒。
【請求項２７】
前記裏側面は、予め決められた印がその上に印刷される、請求項２３に記載の封筒。
【請求項２８】
前記予め決められた印はクーポンである、請求項２７に記載の封筒。
【請求項２９】
前記クーポンは、追加の製品の購入時に使用するための割引クーポンである、請求項２８に記載の封筒。
【請求項３０】
前記販売促進用材料アセンブリはクーポンである、請求項２２に記載の封筒。
【請求項３１】
前記販売促進用材料アセンブリは、追加の製品の購入時に使用するための割引クーポンである、請求項３０に記載の封筒。
【請求項３２】
前記販売促進用材料アセンブリは、スクラッチ式ゲームである、請求項２２に記載の封筒。
【請求項３３】
前記販売促進用材料アセンブリは、スクラッチ式ゲームである、請求項２２に記載の封筒。
【請求項３４】
前記販売促進用材料アセンブリは、スクラッチ・アンド・スニフ・シートである、請求項２２に記載の封筒。
【請求項３５】
前記取引カードは、前記スロットを通して前記ポケット内に挿入される、請求項２２に記載の封筒。
【請求項３６】
ギフト・カードが物体に固定的に貼付されるように、前記物体に前記ギフト・カードを貼付する方法において、
ａ）ｉ）第１の面及び第２の面を有する第１の平面部と、
ｉｉ）前記平面部中に切り込まれたスロットと、
ｉｉｉ）前記平面部の前記第２の面上に重ねられて、前記物体に封筒を接着して貼付する接着剤であって、ポケットが、前記平面部と前記物体との間に画成され、前記スロットと連絡する接着剤と、
ｉｖ）前記平面部の前記第１の面に結合され、販売促進用材料、前記販売促進用材料を隠すラベルであって、前記販売促進用材料が前記ラベルと前記平面部との間に配設されるラベル、及び前記平面部に前記ラベルを固定する接着剤を備える、隠し販売促進用材料アセンブリと
を備えるように封筒を構成するステップと、
ｂ）前記封筒の前記ポケットの中に前記ギフト・カードを挿入するステップと、
ｃ）前記物体に前記接着剤の層を貼付するステップと
を含む方法。
【請求項３７】
ａ）前記第２の面に貼付される取外し可能な層を含むように前記第２の面を構成するステップと、
ｂ）物体に前記封筒を貼付する前に、前記第２の面から前記取外し可能な層を取り外すステップと
をさらに含む、請求項３６に記載の方法。
【請求項３８】
前記ラベルは、表側面及び裏側面と、前記ラベルの少なくとも一方の面上に印刷される変更可能な印とを有する単一層不透明シートを備える、請求項３６に記載の方法。
【請求項３９】
前記予め決められた印がクーポンを含む、請求項３８に記載の方法。
【請求項４０】
前記クーポンは、追加の製品の購入時に使用するための割引クーポンである、請求項３９に記載の方法。
【請求項４１】
前記販売促進用材料アセンブリはクーポンである、請求項３６に記載の方法。
【請求項４２】
前記クーポンは、追加の製品の購入時に使用するための割引クーポンである、請求項４１に記載の方法。
【請求項４３】
前記販売促進用材料アセンブリは、スクラッチ式ゲームである、請求項３６に記載の方法。
【請求項４４】
前記販売促進用材料アセンブリは、スクラッチ・アンド・スニフ・シートである、請求項３６に記載の方法。
【請求項４５】
第１のプレゼント及び取引カードを含む贈り物を人に贈る方法において、
ａ）ｉ）第１の面及び第２の面を有する平面部と、
ｉｉ）前記平面部中に切り込まれたスロットと、
ｉｉｉ）前記第１のプレゼントに封筒を接着して貼付するために、前記平面部の前記第２の面上に重ねられる接着剤と、
ｉｖ）前記平面部の第１の面に結合され、販売促進用材料、前記販売促進用材料を隠すラベル、及び前記第１の面に前記ラベルを固定する接着剤を備える、隠し販売促進用材料アセンブリと
を備える封筒を提供するステップと、
ｂ）前記第１のプレゼントに前記封筒を貼付するステップと、
ｃ）前記スロット内へ前記取引カードを挿入するステップと、
ｄ）前記人に、前記取引カードと共に前記第１のプレゼントを渡すステップと
を含む方法。
【請求項４６】
ａ）前記平面部の前記第２の面に貼付される取外し可能な層を含むように前記封筒を構成するステップと、
ｂ）物体に前記封筒を貼付する前に、前記第２の面から前記取外し可能な層を取り外すステップと
をさらに含む、請求項４５に記載の方法。
【請求項４７】
前記販売促進用材料アセンブリはクーポンを含む、請求項４５に記載の方法。
【請求項４８】
前記クーポンは、追加の製品の購入時に使用するための割引クーポンである、請求項４７に記載の方法。
【請求項４９】
前記販売促進用材料アセンブリは、スクラッチ式ゲームである、請求項４５に記載の方法。
【請求項５０】
前記販売促進用材料アセンブリは、スクラッチ・アンド・スニフ・シートである、請求項４５に記載の方法。
【請求項５１】
前記ラベルは、表側面及び裏側面と、前記ラベルの少なくとも一方の面上に印刷される変更可能な印とを有する単一の不透明シートを備える、請求項４５に記載の方法。
【請求項５２】
前記予め決められた印がクーポンである、請求項５１に記載の方法。
【請求項５３】
前記クーポンは、追加の製品の購入時に使用するための割引クーポンである、請求項５２に記載の方法。
【発明の詳細な説明】
【技術分野】
【０００１】
本発明は、取引カードを支持するための封筒に関する。
【背景技術】
【０００２】
贈り物の授受は、人の生活において重要な行為である。人は、特別なときを祝うために、他者に対する感謝及び愛情を表すために、並びに打算的な事情においては商品及びサービスの消費を促進するために、贈り物を贈ることを好む。結婚祝いの贈り物、誕生祝の贈り物、ホリデー・ギフト、及び記念日の贈り物はすべて、一般的に贈られる贈り物である。しかし、贈り物を贈る習慣は、「あらゆる条件を備えたどのようなものを、人に買ってあげるか？」という永遠の問題を提起する。
【０００３】
近年、「完璧な贈り物」を入手するために労力を傾注するための時間又は創造力の足りない人にとって、商品券及び取引カードは最適な贈り物となっている。典型的には、取引カードは、適切なカード・リーダで読み取ることが可能な金銭掛売り額（credit amount）をエンコードする磁気ストライプを有するデビット・カードである。一般的には、これらのギフト・カードは、典型的なクレジット・カードの形状及び寸法をとる。これらの取引カードは、小売店での商品の購入用の商品券又はプリペイド・クレジットとして使用し得る。通常、この小売店は、取引カードの表面で確認される。
【０００４】
しかし、ギフト・カードは、それ自体がごく一般的であり、思いやりのこもった贈り物とは言い切れないものであると考える人もいる。したがって、完全に統合化した贈り物を贈ることを経験することに対する需要がある。この際に、ギフト・カードは、実際の贈り物を補完し、又は補足し得る。例えば、他者にＤＶＤプレーヤを購入し、さらにこのＤＶＤプレーヤで鑑賞するためのＤＶＤを購入するのに役立つ取引カードを贈ることが可能である。これにより、贈り物の贈り主が、贈り物に自身の個人的な味を加えることが可能となる。
【０００５】
また、統合化した贈り物を贈ることは、これまで未開拓であった市場機会を小売店に提供する。先述のように、小売業者は、そのロゴによって、取引カードの表面で識別されることが多い。これは、この小売業者の店を宣伝するのに非常に消極的な手段である。ギフト・カードを贈ることと組み合わせて小売店を積極的に促進することへの需要がある。
【０００６】
しばしば、製造業者及び小売業者は、販売促進用クーポンを使用して、そのビジネス及び店舗を積極的に促進する。取引カードにこれらの積極的な販売促進用材料を統合し、それによって贈り物の贈り主が取引カードを贈り物として送りつつ、同時に小売業者のビジネスを積極的に促進することが可能となることへの需要がある。
【発明の開示】
【発明が解決しようとする課題】
【０００７】
本発明の目的は、製造業者、小売業者、又はサービス提供業者などの商品及びサービスを積極的に促進することが可能である取引カードを支持する封筒を提供することである。
【課題を解決するための手段】
【０００８】
本発明の概略的な態様によれば、取引カードを渡すための接着剤付き封筒が提供される。また、封筒は、小売業者又は製造業者に関する販売促進用情報を表示するためのスペースを有する。封筒は、第１の面及び第２の面を有する平面部を備える。スリットが、平面部中に切り込まれる。封筒を箱又は本などの物体に接着して貼付し得るように、接着剤が平面部の第２の面上に重ねられる。ポケットが、平面部と、平面部が貼付される物体との間に形成される。ポケットは、取引カードを取外し可能にその中に挿入するために、スリットを介してアクセス可能である。
【０００９】
また、本発明は、ラベルと、販売促進用材料と、販売促進用材料を隠すように販売促進用材料にラベルを結合するための接着剤とを備える隠し販売促進用材料アセンブリを含む。典型的には、ラベルは、販売促進用材料を実質的に被覆するように寸法設定された不透明シートである。不透明シートは、表側面及び裏側面を有し、裏側面は、前記販売促進用材料を隠すように、販売促進用材料に連絡している。製造業者又は小売店の商品及びサービスを促進するための追加的な媒体を提供するために、変更可能な印(indicia)をラベルのいずれの面上に配置することも可能である。さらに、ラベルは、枢動端部及び自由端部を有してよく、枢動端部は、ラベルが、完全に剥ぎ取られるのではなく、枢動して販売促進用材料を被覆する又は販売促進用材料が現れるようにすることが可能となるように、平面部に貼付される。
【００１０】
販売促進用材料は、クーポン、スクラッチ式ゲーム、又はスクラッチ・アンド・スニフ面であってよい。クーポンは、追加の製品の購入時に使用するための割引クーポンであってよい。スクラッチ式ゲーム・ピースは、新製品を案内するために、又は他の販売促進の目的で利用されてよい。同様に、スクラッチ・アンド・スニフ面は、食糧雑貨店などの小売店により提供される商品に対応する嗅覚的情報を提供してよい。
【００１１】
これらの要素が組み合わされて、取引カードを渡すための改善された封筒を形成する。例えば、電子機器小売業者は、販売用の取引カードを提供してよい。顧客は、電子機器小売業者から、ＤＶＤプレーヤと、このＤＶＤプレーヤで鑑賞するためのＤＶＤを購入するのに役立つ取引カードとを共に購入することが可能である。取引カードは、本発明の封筒に付随し、顧客は、ＤＶＤプレーヤを収容する箱にこの封筒を貼付し、この封筒と箱との間に形成されるこのポケット内に取引カードを挿入し、形成されたスリット内に取引カードを挿入する。次いで、顧客は、贈り物の受取人にＤＶＤプレーヤと取引カードとを共に贈る。贈り物の受取人が、ＤＶＤを購入するために小売業者へ取引カードを持参しようとする際に、受取人は、隠し販売促進用材料アセンブリが封筒の表面にあることに気付く。次いで、受取人が、隠し販売促進用材料アセンブリのラベルを引き戻すと、受取人が小売店からさらなる割引を受けるために使用し得る販売促進用材料が現れる。
【００１２】
図面中、同様の参照番号は、図面全体にわたって同様の部分を表す。
【実施例】
【００１３】
図１は、本発明の実施例による取引カード封筒１０の正面図を示す。封筒は、第１の面１４及び第２の面１６（図２に示す）を有する平面部１２を備える。概して、平面部１２は、取引カード１８が脱落するのを防ぐのに十分頑丈であると同時に、箱、本などの物体に接着する材質から構成されなくてはならない。平面部１２は、第１の端部２０及び第２の端部２２を有し、これらは上線部２４及び下線部２６によって共に結ばれる。
【００１４】
封筒１０の平面部１２は、裏側面１６と封筒１０が貼付される物体との間へ取引カード１８を挿入するための、平面部１２に切り込まれたスロット部材２８を有する。
【００１５】
平面部１２上に配設されるのは、隠し販売促進用材料アセンブリ３０である。隠し販売促進用材料アセンブリ３０は、販売促進用材料部材３２及びラベル部材３４を含む。ラベル部材３４は、販売促進用材料３２を被覆する。ラベル部材３４は、表側面３８及び裏側面３６を有する。適切な接着剤が、裏側面３６に塗布されてよく、それによりラベル部材３４が販売促進用材料部材３２を被覆する際に、ラベル３４は、販売促進用材料３２に貼付されて、その正体を隠す。これは、図１に図示されるようにラベル３４が剥ぎ取られて販売促進用材料が何であるかが明らかになる際の驚きの要素を封筒に付与する。例えば、図１に図示されるように、販売促進用材料３２は、小売業者の営業所から後日追加の商品を購入するための割引クーポンであってよい。図５は、販売促進用材料３２が小売店の嗅覚的促進用のスクラッチ・アンド・スニフ領域４０を備える、追加の実施例を示す。さらに、販売促進用材料３２は、図６に図示されるようにスクラッチ式ゲーム・ピース４２であることが可能である。
【００１６】
図２は、平面部１２の裏側面１６を示す。接着剤４４が、封筒１２の第２の面１６の一部分を実質的に被覆する。第２の面１６上に重ねられる接着剤面４４は、封筒１０が箱又は本などの物体に貼付することが可能となるのを確実にするためのものである。いくつかの実施例においては、剥離紙の裏当て４６が、封筒１２が物体に貼付される前に接着剤を被覆するために提供される。裏当て４６は、ユーザが封筒１２をパッケージに固定しようとする際に、重ねられた接着剤４４から剥離される。
【００１７】
図４は、本発明の断面図である。平面部１２が接着剤４４によって物体に貼付されると、ポケット４８が形成される。ポケット４８は、取引カード１８などの取引カードを保持するように設計される。取引カード１８を、スロット２８内に挿入し、平面部１２と平面部が貼付される物体との間に形成されるポケット４８によって定位置に保持することが可能である。スロット２８及びポケット４８は、取引カード１８が挿入されると、取引カード１８が封筒の内部に取外し可能に固定されて、それにより取引カードが引き出されない限り脱落する恐れがないように、寸法設定される。
【００１８】
代替として、ユーザは、ポケット４８内に取引カードを挿入し、次いで物体に封筒１０を貼付することを選択してよい。
【００１９】
次に図５を参照すると、販売促進用材料３２がスクラッチ・アンド・スニフ面であってよいことが分かる。典型的には、図５に図示されるものなどのスクラッチ・アンド・スニフ面は、芳香及び／又は食材の風味アイテムを含む芳香領域５０を有する。芳香領域１４の鮮度を保つためのスクラッチ・アンド・スニフ・コーティング技術を、芳香領域１４は含む。
【００２０】
図５に示される実施例において、スクラッチ・アンド・スニフ面４０は、多孔性紙基層、又は無毒性及び無臭の接着剤により平面部１２に接着されるようになされる「スクラッチ・アンド・スニフ」基層用に使用される他の材料を使用して製造されることが好ましい。
【００２１】
スクラッチ・アンド・スニフ面４０は、スクラッチ・アンド・スニフ面４０に組み込まれるパッチ又は芳香領域５０を支持する。図５に図示される実施例において、芳香領域５０は、芳香生成成分が塗布されている吸収性無毒性材料を含む。芳香生成成分は、その小売店にて販売されている食料品の中から見つかる原料であってよい。
【００２２】
芳香領域５０は、スクラッチ式に剥がされる(scratched off)又は剥ぎ取られることが可能な保護コーティング５２によって被覆されてよい。コーティング５２は、芳香領域５０の周辺部５４の実質的に３つ又は４つの辺を被覆してよい。コーティング５２は、芳香領域５０の芳香を新鮮に保つために使用される。
【００２３】
また、追加として、又は代替として、スクラッチ・アンド・スニフ面４０は、特徴的な模様、色、又は強度のコントラストを有する地の部６０を有する１つ又は複数の特徴的な記号又は模様を含む象徴的記号領域５８を含む。芳香領域５０内の芳香に関連のある視覚的識別、目印、又は記号を提供するために、種々の記号を象徴的記号領域５８に配置することが可能である。
【００２４】
図６は、販売促進用材料３２がスクラッチ・アンド・ウィン式ゲーム４２である代替の実施例を示す。
【００２５】
本発明を、特許法を遵守するために、並びにこの新規の原理を適用し、必要とされる例の実施例を構成する及び使用するために必要とされる情報を当業者に提供するために、かなり詳細に本明細書にて説明した。しかし、本発明は、とりわけ種々の装置によっても実施可能であり、多様な変更例が、本発明自体の特許請求の範囲から逸脱することなく実現可能であることが理解される。
【図面の簡単な説明】
【００２６】
【図１】本発明の実施例による取引カード封筒の正面図である。
【図２】図１に示される封筒の背面図である。
【図３】取引カードを保持するためのスロット内に取引カードが挿入されている、図１に示す封筒の正面図である。
【図４】スロット内に挿入された取引カードを示す、図３の切断線４‐４に沿った封筒の断面図である。
【図５】一実施例においては販売促進用材料である、スクラッチ・アンド・スニフ媒体の正面図である。
【図６】スクラッチ式ゲーム・ピースの正面図である。
【図１】
2009528230.tif 000003
【図２】
2009528230.tif 000004
【図３】
2009528230.tif 000005
【図４】
2009528230.tif 000006
【図５】
2009528230.tif 000007
【図６】
2009528230.tif 000008
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ａ）第１の面及び第２の面を有する平面部と、
ｂ）前記平面部中に切り込まれたスロットと、
ｃ）物体に前記平面部を接着して貼付するために、前記平面部の前記第２の面上に重ねられる接着剤であって、前記平面部が前記物体に貼付されると、前記平面部の前記第２の面と前記物体との間に内部スペースが画成され、前記スロットが、前記内部スペースへのアクセスを可能にする接着剤と、
ｄ）前記平面部の前記第１の面の下半部に結合され、販売促進用材料、前記販売促進用材料を隠すラベル、及び前記販売促進用材料を被覆するように前記ラベルを取外し可能に固定する接着剤を備える隠し販売促進用材料アセンブリと
を備える、取引カードを保持するための封筒。
【請求項２】
前記ラベルは、表側面及び裏側面を有する単一層不透明シートを備える、請求項１に記載の封筒。
【請求項３】
前記表側面は、その上に予め決められた印を有する、請求項２に記載の封筒。
【請求項４】
前記予め決められた印はクーポンである、請求項３に記載の封筒。
【請求項５】
前記クーポンは、追加の製品の購入時に使用するための割引クーポンである、請求項４に記載の封筒。
【請求項６】
前記裏側面は、予め決められた印がその上に印刷される、請求項２に記載の封筒。
【請求項７】
前記予め決められた印はクーポンである、請求項６に記載の封筒。
【請求項８】
前記クーポンは、追加の製品の購入時に使用するための割引クーポンである、請求項７に記載の封筒。
【請求項９】
前記販売促進用材料アセンブリは、スクラッチ式ゲーム・ピースである、請求項１に記載の封筒。
【請求項１０】
前記販売促進用材料アセンブリは、スクラッチ・アンド・スニフ・シートである、請求項１に記載の封筒。
【請求項１１】
前記販売促進用材料アセンブリはクーポンである、請求項１に記載の封筒。
【請求項１２】
前記クーポンは、追加の製品の購入時に使用するための割引クーポンである、請求項１１に記載の封筒。
【請求項１３】
ａ）第１の面及び第２の面を有する平面部と、
ｂ）クレジット／デビット・カードを受けるための前記平面部の前記第１の面上に配設されるスリットと、
ｃ）物体に前記平面部を接着して貼付するために、前記平面部の前記第２の面上に重ねられる接着剤であって、前記平面部が前記物体に貼付されると、前記平面部の前記第２の面と前記物体との間に内部スペースが画成され、前記スロットが、前記内部スペースへのアクセスを可能にする接着剤と、
ｄ）前記平面部の前記第１の面に結合され、ヒンジ端部及び自由端部を有する単一層不透明シートを備えるフラップ・アセンブリであって、前記ヒンジ端部は、前記平面部と、前記平面部上に配設され、前記不透明シートによって被覆されるようになされた販売促進用材料とに枢動自在に結合されるフラップ・アセンブリと
を備える、クレジット／デビット・カードを保持するための封筒。
【請求項１４】
前記不透明シートは、表側表面上に予め決められた印を有する、請求項１３に記載の封筒。
【請求項１５】
前記不透明シートは、その裏側表面上に予め決められた印を有する、請求項１３に記載の封筒。
【請求項１６】
前記予め決められた印はクーポンである、請求項１４に記載の封筒。
【請求項１７】
前記予め決められた印はクーポンである、請求項１５に記載の封筒。
【請求項１８】
前記販売促進用材料はクーポンである、請求項１３に記載の封筒。
【請求項１９】
前記クーポンは、追加の製品の購入時に使用するための割引クーポンである、請求項１８に記載の封筒。
【請求項２０】
前記販売促進用材料は、スクラッチ式ゲームである、請求項１３に記載の封筒。
【請求項２１】
前記販売促進用材料は、スクラッチ・アンド・スニフ・シートである、請求項１３に記載の封筒。
【請求項２２】
ａ）第１の面及び第２の面を有する平面部と、
ｂ）前記平面部中に切り込まれたスロットと、
ｃ）前記平面部の前記第２の面上に重ねられて、物体に封筒を接着して貼付する接着剤であって、ポケットが、前記平面部と前記物体との間に画成され、前記スリットと連絡する接着剤と、
ｄ）前記平面部の前記第１の面に結合され、販売促進用材料、前記販売促進用材料を隠すラベルであって、前記販売促進用材料が前記ラベルと前記平面部との間に配設されるラベル、及び前記平面部に前記ラベルを取外し可能に固定する接着剤を備える、隠し販売促進用材料アセンブリと
を備える、取引カードを保持するための封筒。
【請求項２３】
前記ラベルは、表側面及び裏側面を有する単一層不透明シートである、請求項２２に記載の封筒。
【請求項２４】
前記表側面は、予め決められた印がその上に印刷される、請求項２３に記載の封筒。
【請求項２５】
前記予め決められた印はクーポンである、請求項２４に記載の封筒。
【請求項２６】
前記クーポンは、追加の製品の購入時に使用するための割引クーポンである、請求項２５に記載の封筒。
【請求項２７】
前記裏側面は、予め決められた印がその上に印刷される、請求項２３に記載の封筒。
【請求項２８】
前記予め決められた印はクーポンである、請求項２７に記載の封筒。
【請求項２９】
前記クーポンは、追加の製品の購入時に使用するための割引クーポンである、請求項２８に記載の封筒。
【請求項３０】
前記販売促進用材料アセンブリはクーポンである、請求項２２に記載の封筒。
【請求項３１】
前記販売促進用材料アセンブリは、追加の製品の購入時に使用するための割引クーポンである、請求項３０に記載の封筒。
【請求項３２】
前記販売促進用材料アセンブリは、スクラッチ式ゲームである、請求項２２に記載の封筒。
【請求項３３】
前記販売促進用材料アセンブリは、スクラッチ式ゲームである、請求項２２に記載の封筒。
【請求項３４】
前記販売促進用材料アセンブリは、スクラッチ・アンド・スニフ・シートである、請求項２２に記載の封筒。
【請求項３５】
前記取引カードは、前記スロットを通して前記ポケット内に挿入される、請求項２２に記載の封筒。
【請求項３６】
ギフト・カードが物体に固定的に貼付されるように、前記物体に前記ギフト・カードを貼付する方法において、
ａ）ｉ）第１の面及び第２の面を有する第１の平面部と、
ｉｉ）前記平面部中に切り込まれたスロットと、
ｉｉｉ）前記平面部の前記第２の面上に重ねられて、前記物体に封筒を接着して貼付する接着剤であって、ポケットが、前記平面部と前記物体との間に画成され、前記スロットと連絡する接着剤と、
ｉｖ）前記平面部の前記第１の面に結合され、販売促進用材料、前記販売促進用材料を隠すラベルであって、前記販売促進用材料が前記ラベルと前記平面部との間に配設されるラベル、及び前記平面部に前記ラベルを固定する接着剤を備える、隠し販売促進用材料アセンブリと
を備えるように封筒を構成するステップと、
ｂ）前記封筒の前記ポケットの中に前記ギフト・カードを挿入するステップと、
ｃ）前記物体に前記接着剤の層を貼付するステップと
を含む方法。
【請求項３７】
ａ）前記第２の面に貼付される取外し可能な層を含むように前記第２の面を構成するステップと、
ｂ）物体に前記封筒を貼付する前に、前記第２の面から前記取外し可能な層を取り外すステップと
をさらに含む、請求項３６に記載の方法。
【請求項３８】
前記ラベルは、表側面及び裏側面と、前記ラベルの少なくとも一方の面上に印刷される変更可能な印とを有する単一層不透明シートを備える、請求項３６に記載の方法。
【請求項３９】
前記予め決められた印がクーポンを含む、請求項３８に記載の方法。
【請求項４０】
前記クーポンは、追加の製品の購入時に使用するための割引クーポンである、請求項３９に記載の方法。
【請求項４１】
前記販売促進用材料アセンブリはクーポンである、請求項３６に記載の方法。
【請求項４２】
前記クーポンは、追加の製品の購入時に使用するための割引クーポンである、請求項４１に記載の方法。
【請求項４３】
前記販売促進用材料アセンブリは、スクラッチ式ゲームである、請求項３６に記載の方法。
【請求項４４】
前記販売促進用材料アセンブリは、スクラッチ・アンド・スニフ・シートである、請求項３６に記載の方法。
【請求項４５】
第１のプレゼント及び取引カードを含む贈り物を人に贈る方法において、
ａ）ｉ）第１の面及び第２の面を有する平面部と、
ｉｉ）前記平面部中に切り込まれたスロットと、
ｉｉｉ）前記第１のプレゼントに前記封筒を接着して貼付するために、前記平面部の前記第２の面上に重ねられる接着剤であって、前記平面部が物体に貼付されると、前記平面部の前記第２の面と前記物体との間に内部スペースが画成され、前記スロットが、前記内部スペースへのアクセスを可能にする接着剤と、
ｉｖ）前記平面部の第１の面に結合され、販売促進用材料、前記販売促進用材料を隠すラベル、及び前記第１の面に前記ラベルを固定する接着剤を備える、隠し販売促進用材料アセンブリと
を備える封筒を提供するステップと、
ｂ）前記第１のプレゼントに前記封筒を貼付するステップと、
ｃ）前記スロット内へ前記取引カードを挿入するステップと、
ｄ）前記人に、前記取引カードと共に前記第１のプレゼントを渡すステップと
を含む方法。
【請求項４６】
ａ）前記平面部の前記第２の面に貼付される取外し可能な層を含むように前記封筒を構成するステップと、
ｂ）物体に前記封筒を貼付する前に、前記第２の面から前記取外し可能な層を取り外すステップと
をさらに含む、請求項４５に記載の方法。
【請求項４７】
前記販売促進用材料アセンブリはクーポンを含む、請求項４５に記載の方法。
【請求項４８】
前記クーポンは、追加の製品の購入時に使用するための割引クーポンである、請求項４７に記載の方法。
【請求項４９】
前記販売促進用材料アセンブリは、スクラッチ式ゲームである、請求項４５に記載の方法。
【請求項５０】
前記販売促進用材料アセンブリは、スクラッチ・アンド・スニフ・シートである、請求項４５に記載の方法。
【請求項５１】
前記ラベルは、表側面及び裏側面と、前記ラベルの少なくとも一方の面上に印刷される変更可能な印とを有する単一の不透明シートを備える、請求項４５に記載の方法。
【請求項５２】
前記予め決められた印がクーポンである、請求項５１に記載の方法。
【請求項５３】
前記クーポンは、追加の製品の購入時に使用するための割引クーポンである、請求項５２に記載の方法。
【請求項５４】
ａ）第１の面及び第２の面を有する平面部と、
ｂ）前記平面部中に切り込まれたスロットと、
ｃ）物体に前記平面部を接着して貼付するために、前記平面部の前記第２の面上に重ねられる接着剤であって、前記平面部が前記物体に貼付されると、前記平面部の前記第２の面と前記物体との間に内部スペースが画成され、前記スロットが、前記内部スペースへのアクセスを可能にする接着剤と、
ｄ）前記平面部の前記第１の面の下半部に結合され、販売促進用材料、前記販売促進用材料を隠すラベル、及び隠しスクラッチ式販売促進用材料アセンブリを被覆するように前記ラベルを取外し可能に固定する接着剤を備える、隠しスクラッチ式販売促進用材料アセンブリと
を備える、クレジット／デビット・カードを保持するための封筒。
【請求項５５】
前記スクラッチ式販売促進用材料アセンブリは、スクラッチ式ゲーム・ピースである、請求項５４に記載の封筒。
【請求項５６】
前記スクラッチ式販売促進用材料アセンブリは、スクラッチ・アンド・スニフ・シートである、請求項５４に記載の封筒。
【請求項５７】
前記スクラッチ式販売促進用材料アセンブリは、スクラッチ式クーポンである、請求項５４に記載の封筒。
【請求項５８】
前記スクラッチ式クーポンは、追加の製品の購入時に使用するための割引クーポンである、請求項５７に記載の封筒。
【国際調査報告】
2009528230.tif 000009